(57)【特許請求の範囲】
【請求項１】
弾性がある材質で構成されたベースパネル１０と、
前記ベースパネル１０に比べて硬質の材質で構成されて前記ベースパネル１０の上面に積層された表面材２０と、
前記ベースパネル１０の下側面に積層されたすべり防止シート３０を含んで、
前記ベースパネル１０の両側には突出部１１と前記突出部１１が結合される結合溝１２が形成され、
前記側方向に延長された棒形状で構成されて前記突出部１１の先端部に側方向に延長されるように具備され、内部には粘度が低い液状の接着剤５１が貯蔵された貯蔵管体５０と、
前記貯蔵管体５０の上面に具備された金属材の衝突部材６０をさらに含んで、
前記貯蔵管体５０は脆性が高い合成樹脂材質で構成され、前記突出部１１を他の組立式床板の結合溝１２に差し込み結合した後、組立式床板の連結部上面を下側に加撃すれば前記衝突部材６０が下側に押されながら前記貯蔵管体５０を加撃して貯蔵管体５０を損傷させ、これによって、貯蔵管体５０に貯蔵された接着剤５１が外部に流出されて前記突出部１１が結合溝１２に水密に接着固定される
ことを特徴とする施工、撤去及び維持補修が容易な非接着式底密着型組立式床板。
【請求項２】
前記ベースパネル１０は炭酸カルシウムボードである
請求項１に記載の施工、撤去及び維持補修が容易な非接着式底密着型組立式床板。
【請求項３】
前記ベースパネル１０は発泡ＰＶＣボードを使用する
請求項１に記載の施工、撤去及び維持補修が容易な非接着式底密着型組立式床板。
【請求項４】
前記すべり防止シート３０は、不織布３１の下側面にシリコン３２を塗布して構成された
請求項１に記載の施工、撤去及び維持補修が容易な非接着式底密着型組立式床板。
【請求項５】
前記突出部１１にはゴム４０またはシリコンが塗布されて前記突出部１１が前記結合溝１２に水密に結合される
請求項１に記載の施工、撤去及び維持補修が容易な非接着式底密着型組立式床板。
【請求項６】
請求項１ないし５のいずれかによる施工、撤去及び維持補修が容易な非接着式底密着型組立式床板を使用した密着施工方法において、
前記床板密着施工方法は、
組立式床板を施工するモルタル底面のほこり及び異物を掃除して外部要因による水平誤差を最小化するモルタル底面底掃除段階（Ｓ１００）と、
掃除されたモルタル底面上に接着剤使用なしにすべり防止シートを底面と密着するように配置するすべり防止シート設置段階（Ｓ２００）と、
ナイフ、押し切りなどを使って縁床板を施工する底面の寸法にあうように粉塵及び騷音なしに切断する組立式床板裁断段階（Ｓ３００）と、
すべり防止シート上に組立式床板を乗せて隣接した床板どうし順番に結合して床底施工を仕上げる隣接床板結合段階（Ｓ４００）と、を含む
ことを特徴とする施工、撤去及び維持補修が容易な非接着式底密着型組立式床板密着施工方法。
【発明の詳細な説明】
【技術分野】
【０００１】
本発明は、施工、撤去及び維持補修が容易な非接着式底密着型組立式床板及びこれを利用した床板の密着施工方法に関するものであり、より詳細には、弾性がある材質で構成されたベースパネルと前記ベースパネルに比べて硬質の材質で構成されて前記ベースパネルの上面に積層された表面材と前記ベースパネルの下側面に積層されたすべり防止シートを含んで、前記ベースパネルの両側には突出部と前記突出部が結合される結合溝が形成されることで、施工と撤去が容易でありながらも床板が底面に堅固に密着されるようになされた新しい構造の施工、撤去及び維持補修が容易な非接着式底密着型組立式床板及びこれを利用した床板の密着施工方法に関するものである。
【背景技術】
【０００２】
一般に、建築物の室内底面に設置される組立式床板は、四角形のパネル形態で構成され、周り面には突出部と前記突出部が結合される結合溝が形成されて複数個の組立式床板の突出部を結合溝に挟んで、広い床形態で組み合わせるように構成される。
そして、このような組立式床板を施工する方法としては、図８に示されたように、組立式床板を底面に接着剤で接着固定する接着式施工方法と、底面に湿り気防止用シートを敷いてその上面に組立式床板を乗せる懸架式施工方法と、一部事務室、体育館等底に一定空間程度構造体を立てて床板を底面から浮かべて施工する長線式施工方法を主に使っている。
この時、前述した接着式施工方法の場合、床板をモルタル層に接着剤を利用して定着させる施工方法として、オンドル暖房熱伝導率が優秀でなみたつことがなくて歩行感が良く、オンドル暖房に好適であって製品寸法が安定して施工後変形が少なくて底面と接着されてセメントほこりを遮断する長所がある反面、撤去が難しくて専門熟練者による撤去作業を要して寸法変形が大きい製品は施工不可であって別途の施工接着剤を要する特徴を有する。
すなわち、接着式施工方法の場合組立式床板を底面に接着固定することによって施工と撤去が難しくて、水分によって収縮、膨張する木材質で構成された組立式床板には適用が難しい問題点があった。
【０００３】
そして、前述した懸架式施工方法の場合、底面にフィルムを敷いて湿り気を遮断した後クッションを敷いた後床板組立部に接着剤または結合体方式を利用して床板を結合させる施工方法であり、製品寸法変形が大きい製品にも適用可能で撤去が容易であって施工時接着剤を使わないか、または最小化することができる反面、浮き底構造で熱伝導率が低くてオンドル暖房で熱効率が落ちて底面空隙部分にほこりが多くて、相対的に水分(湿り気)に弱く、なみたつことなどで歩行感が良くない特徴を有する。
すなわち、懸架式施工方法の場合組立式床板が底面と分離されて組立式床板の下側面と底面との間に空間が形成されることで、暖房の熱が効果的に伝達されることができないだけでなく、底面が均一ではない場合、なみたつことが発生されることがある問題点があった。
そして、前述した長線式施工方法の場合、主に体育館、講堂、舞台などの施工に好適な施工方法で高い強度を有して弾性が良くて重歩行で主に施工されて釘打ち式、接着式など多様な方式を利用して電気配線施設の下部挿入など下部構造に多様な応用が可能な特徴である反面、浮き底構造で熱伝導率が低くてオンドル暖房で熱効率が落ちて底面空隙部分にほこりが多くて施工資材が比較的高価に形成され、施工費が増加するようになって密着されない部位では響き音など音が発生する問題点があった。
【０００４】
したがって、このような問題点を解決するために、接着剤を使わなくて親環境的でありながらも撤去時に床板の分離作業が非常に容易であって、ＰＥフォームを使わなくて床底施工時に粉塵など有害なほこりの発生を最小化して、水平で動かないように底面に密着されるように施工することで、施工後床底面のなみたつことが発生しないようにする新しい構造の組立式床板及び手押車施工方法が必要になった。
【発明の概要】
【発明が解決しようとする課題】
【０００５】
本発明は、前記の問題点を解決するために創案されたものであり、より詳細には、弾性がある材質で構成されたベースパネルと前記ベースパネルに比べて硬質の材質で構成されて前記ベースパネルの上面に積層された表面材と前記ベースパネルの下側面に積層されたすべり防止シートを含んで、前記ベースパネルの両側には突出部と前記突出部が結合される結合溝が形成されることで施工と撤去が容易でありながらも床板が底面に堅固に密着されるようになされた新しい構造の施工、撤去及び維持補修が容易な非接着式底密着型組立式床板及びこれを利用した床板の密着施工方法を提供することを目的とする。
【課題を解決するための手段】
【０００６】
前記目的を達成するための本発明は、弾性がある材質で構成されたベースパネル１０と、前記ベースパネル１０に比べて硬質の材質で構成され、前記ベースパネル１０の上面に積層された表面材２０と、前記ベースパネル１０の下側面に積層されたすべり防止シート３０を含んで、前記ベースパネル１０の両側には突出部１１と前記突出部１１が結合される結合溝１２が形成されたことを特徴とする。
【０００７】
本発明の他の特徴によれば、前記ベースパネル１０は炭酸カルシウムボードであることを特徴とする。
本発明の他の特徴によれば、前記ベースパネル１０は発泡ＰＶＣボードを利用することを特徴とする。
本発明の他の特徴によれば、前記すべり防止シート３０は不織布３１の下側面にシリコン３２を塗布して構成されたことを特徴とする。
本発明の他の特徴によれば、前記突出部１１にはゴム４０またはシリコンが塗布され、前記突出部１１が前記結合溝１２に水密に結合されることを特徴とする。
【０００８】
本発明の他の特徴によれば、前記側方向に延長された棒形状で構成されて前記突出部１１の先端部に側方向に延長されるように具備され、内部には粘度が低い液状の接着剤５１が貯蔵された貯蔵管体５０と、前記貯蔵管体５０の上面に具備された金属材の衝突部材６０をさらに含んで、前記貯蔵管体５０は脆性が高い合成樹脂材質で構成されて、前記突出部１１を他の組立式床板の結合溝１２に差し込み結合した後、組立式床板の連結部上面を下側に加撃すれば前記衝突部材６０が下側に押されながら前記貯蔵管体５０を加撃して貯蔵管体５０を損傷させ、これによって、貯蔵管体５０に貯蔵された接着剤５１が外部に流出されて前記突出部１１が結合溝１２に水密に接着固定されるようにすることを特徴とする。
【０００９】
本発明のまた他の特徴によれば、施工、撤去及び維持補修が容易な非接着式底密着型組立式床板を利用した密着施工方法において、前記床板密着施工方法は組立式床板を施工するモルタル底面のほこり及び異物を掃除して外部要因による水平誤差を最小化するモルタル底面底掃除段階(Ｓ１００)、掃除されたモルタル底面の上に接着剤使用なしにすべり防止シートを底面と密着するように配置するすべり防止シート設置段階(Ｓ２００)、ナイフ、押し切りなどを使って縁床板を施工する底面の寸法にあうように粉塵及び騷音なしに切断する組立式床板裁断段階(Ｓ３００)、すべり防止シート上に組立式床板を乗せて隣接した床板どうし順番に結合して床底施工を仕上げる隣接床板結合段階(Ｓ４００)を含むことを特徴とする。
本発明のまた他の特徴によれば、前記組立式床板は６０度傾きのセメントボード上に乗せた時傾斜面に対して滑らないで固定され、床板の表面温度が２５度状態で４５度の恒温水槽のふたをした後１０度上昇するまでかかる時間が２０分以内であることを使って施工されることを特徴とする。
【００１０】
一方本発明は、多様な変更を加えることができるし、さまざまな実施例を有することができるし、特定実施例らは図面に例示して詳細な説明で具体的に説明する。しかし、これは本発明を特定の実施形態に対して限定しようとするものではなく、本発明の思想及び技術範囲に含まれるすべての変更、均等物乃至代替物を含む。各図面を説明しながら類似な構成要素に対しては類似な図面符号を使った。
また、本発明で使用する用語は単に特定の実施例を説明するために使われたものとして、本発明を限定しようとする意図ではない。単数の表現は文脈上明白に異なるように意味しない限り、複数の表現を含む。本出願で、“含む”または“有する”などの用語は、明細書上に記載された特徴、数字、段階、動作、構成要素、部品または、これらを組み合わせたものが存在することを指定しようとするものであり、一つまたはその以上の他の特徴らや数字、段階、動作、構成要素、部品またはこれらを組み合わせたものなどの存在または付加可能性を排除しない。
【発明の効果】
【００１１】
本発明による施工、撤去及び維持補修が容易な非接着式底密着型組立式床板及びこれを利用した床板の密着施工方法は突出部が結合溝に結合されるように組立てて建築物の底面に乗せればすべり防止パネルが底面に密着されて、この時ベースパネルが、弾性がある炭酸カルシウムボードで構成されることで底面が完全な平面をなさないで屈曲があってもベースパネルが適切に変形されながら、すべり防止パネルが底面から上側に浮き立たないですべり防止パネル全体が底面に完全に密着される長所がある。
したがって、接着剤を利用しなくて組立式床板が底面に効果的に密着固定されるようにできるので、設置と撤去が容易であるだけなく、暖房時底面の熱が効果的に上面に伝達されて底面が均一ではない場合にもなみたつことが発生されない長所がある。
【図面の簡単な説明】
【００１２】
【図１】本発明による施工、撤去及び維持補修が容易な非接着式底密着型組立式床板を示した斜視図
【図２】本発明による施工、撤去及び維持補修が容易な非接着式底密着型組立式床板を示した側面図
【図３】本発明による施工、撤去及び維持補修が容易な非接着式底密着型組立式床板の分解状態を示した側面図
【図４】本発明による施工、撤去及び維持補修が容易な非接着式底密着型組立式床板の施工方法を示した参考図
【図５】本発明による施工、撤去及び維持補修が容易な非接着式底密着型組立式床板の変形例を示した側面図
【図６】本発明による施工、撤去及び維持補修が容易な非接着式底密着型組立式床板の第２実施例を示した側断面図
【図７】本発明による施工、撤去及び維持補修が容易な非接着式底密着型組立式床板の密着施工方法を示した側断面図
【図８】従来の接着式施工、懸架式施工、長線式施工による組立式床板を説明するための参照図
【図９】本発明による施工、撤去及び維持補修が容易な非接着式底密着型組立式床板を利用した密着施工方法を説明するためのフローチャート
【図１０】本発明による施工、撤去及び維持補修が容易な非接着式底密着型組立式床板を利用した密着施工方法を説明するための参照図
【発明を実施するための形態】
【００１３】
本発明の選好的な実施例によれば、弾性がある材質で構成されたベースパネル１０と、前記ベースパネル１０に比べて硬質の材質で構成されて前記ベースパネル１０の上面に積層された表面材２０と、前記ベースパネル１０の下側面に積層されたすべり防止シート３０を含んで、前記ベースパネル１０の両側には突出部１１と前記突出部１１が結合される結合溝１２が形成されたことを特徴とする施工、撤去及び維持補修が容易な非接着式底密着型組立式床板及びこれを利用した床板の密着施工方法が提供される。
【００１４】
以下では、添付された例示図面を参照して本発明を詳しく説明する。
図１乃至図４は、本発明による施工、撤去及び維持補修が容易な非接着式底密着型組立式床板を示したものであり、弾性がある材質で構成されたベースパネル１０と、前記ベースパネル１０の上面に積層された表面材２０と、前記ベースパネル１０の下側面に積層されたすべり防止シート３０で構成される。
【００１５】
これを詳しく説明すれば、前記ベースパネル１０は適切な弾性と柔軟性がある炭酸カルシウムボードを利用する。
前記炭酸カルシウムボードは通常的にＣＣボードと通称するものであり、建築物の内、外装材などで開発されて使われているので、これに対するそれ以上の詳しい説明は略する。
この時、前記ベースパネル１０の一側には突出部１１が形成され、他側には前記突出部１１の形状に対応される結合溝１２が形成されることで、お互いに隣合うベースパネル１０間の突出部１１と結合溝１２を差し込み結合することで、複数個の組立式床板を相互組立てるように構成される。
前記表面材２０はビニルやＰＶＣ、合成木材または天然木材などのように、前記ベースパネル１０に比べて硬質でありながら強度が高い材質で構成されたものとして、薄いパネル形状で製作されて前記ベースパネル１０の上面に接着固定され、またＰＶＣを使ったタイル形態で耐衝撃性に強くて少しの弾性がある素材でなされて歩行感を良くさせる機能をする。
この時前記表面材２０は、望ましくは、１．３mmの厚さで製作されることが選好されて、仮に表面材２０の厚さが１．３mmより未満である場合強度低下によって人の荷重による破損が発生する危険性があり、１．３mmより超過して製作される場合弾性力が減少するようになって歩行感が良くない短所がある。
【００１６】
前記すべり防止シート３０は、不織布３１の下側面にシリコン３２を塗布して構成される。
この時、前記シリコン３２は前記不織布に一定間隔で離隔された多数個のドット形態で塗布され、床板施工を容易にして層間騒音を緩和して押され防止及び歩行感上昇、衝撃吸収性などの多様な機能を付与するように構成される。
この時前記不織布３１は、望ましくは、２．０mmの厚さで形成されることが選好されて、仮に不織布３１の厚さが２．０mmより未満である場合衝撃吸収性が落ちるようになって、２．０mmより超過して形成される場合寸法誤差による浮き立ち現象が発生し始めて押され防止機能を遂行し難くなる。
【００１７】
このように構成された組立式床板は、図４に示したように、前記突出部１１が隣合うベースパネル１０の結合溝１２に結合されるように組立てて建築物の底面１に乗せれば、前記すべり防止パネルが底面１に密着される。
この時、前記ベースパネル１０が、弾性がある炭酸カルシウムボードで構成されることで底面１が完全な平面をなさないで屈曲があっても、ベースパネル１０が適切に変形されながら前記すべり防止パネルが底面１から上側に浮き立たないで、すべり防止パネル全体が底面１に完全に密着されるようにする。
この時前記炭酸カルシウムボードで構成されたベースパネル１０は、密度０．８３、収縮率０．２％以下のフレキシブル(flexible)な素材で４．０mm乃至５．０mmの厚さで形成されることが選好されて、耐水性が優秀でぬれ雑巾拭きによる変色及び寸法変化のない長所があって、韓国式床底に適している。
したがって、本発明は接着剤５１を利用しなくて組立式床板が底面１に効果的に密着固定されるようにできて、設置と撤去が容易であるだけでなく、暖房時底面１の熱が効果的に上面に伝達されて、底面１が均一ではない場合にもなみたつことが発生されない長所がある。
【００１８】
また、組立式床板の裁断時ナイフでも難しくないように切断が可能でのこぎり使用時に発生する騷音及びほこりを防止し、隣接した床板間の結合時に鎚を使用する必要がなくて静粛施工が可能な長所がある。
したがって、騷音及び粉塵が発生しなくて夜間にも施工が可能にさせたし、組立式床板の構造上手軽く施工されるように柔軟性を付与して施工者熟練度による施工品質偏差が発生されない効果がある。
また、前記ベースパネル１０は弾性がある前記表面材２０に前述した合成樹脂材質以外に、水分によって収縮及び膨脹する天然木材を含めて多様な材質で構成することができる長所がある。
本実施例の場合前記ベースパネル１０は、炭酸カルシウムボードを利用することを例示したが、前記ベースパネル１０は発泡ＰＶＣ材質で構成された発泡ＰＶＣボードを利用することができる。
この場合、寸法安全性をさらに安定的にするためにＧＦ(Glass Fiber)を挿入してＰＶＣの短所である熱収縮を減少させて使用することが望ましい。
【００１９】
そして、前記突出部１１は単純に側方向に突き出されて前記結合溝１２に結合されるように構成されたことを例示したが、図５に示したように、前記突出部１１にゴム４０またはシリコンを塗布して、前記突出部１１が結合溝１２に水密に結合されるように構成することも可能である。
このような場合、前記突出部１１を結合溝１２に結合すれば、相互連結される組立式床板の間が水密に密閉されて、組立式床板の防湿性を向上させることができる長所がある。
【００２０】
図６及び図７は、本発明による他の実施例を示したものであり、前記突出部１１の先端部には内部に接着剤５１が貯蔵された貯蔵管体５０が具備され、前記貯蔵管体５０の上面には金属材の衝突部材６０が具備される。
前記貯蔵管体５０は前記側方向に延長された棒形状で構成されて前記突出部１１の先端部に側方向に延長されるように具備されたものであり、脆性が高いのに強度が低い合成樹脂材質で構成されて衝撃が加えられれば破損されて内部に貯蔵された接着剤５１が外部に流出されるようにする。
前記衝突部材６０は側方向に延長された金属材のバー形状で構成されたものであり、下側面には前記貯蔵管体５０の上面に対応される凹み部６１が形成されて前記凹み部６１が貯蔵管体５０の上面に付着固定される。
【００２１】
このように構成された組立式床板は、図７に示したように、前記突出部１１を他の組立式床板の結合溝１２に差し込み結合した後、矢印で示したように、つちなどを利用して組立式床板の連結部上面を下側に加撃すれば、組立式床板を加撃した衝撃が前記衝突部材６０を通じて前記貯蔵管体５０に伝達されるようにし、このように伝達された衝撃によって貯蔵管体５０が損傷されれば、貯蔵管体５０に貯蔵された接着剤５１が外部に流出される。
そして、このように流出された接着剤５１が前記突出部１１と結合溝１２との間の隙間を通じて広がりながら、前記突出部１１と結合溝１２が堅固に付着固定されるようにする。
したがって、それぞれの組立式床板を相互堅固に固定することができる長所がある。
【００２２】
一方、以下では本発明による施工、撤去及び維持補修が容易な非接着式底密着型組立式床板を利用した密着施工方法に対して詳しく説明する。
先ず、図９は、本発明による施工、撤去及び維持補修が容易な非接着式底密着型組立式床板を利用した密着施工方法を説明するためのフローチャート、図１０は前記図９の床板密着施工方法を説明するための参考図である。
前記図９及び図１０に示されたように、前で詳しく説明した本発明による施工、撤去及び維持補修が容易な非接着式底密着型組立式床板を利用した密着施工方法はモルタル底面底掃除段階(Ｓ１００)と、すべり防止シート設置段階(Ｓ２００)と、組立式床板裁断段階(Ｓ３００)と、隣接床板結合段階(Ｓ４００)を含んでなされる。
先ず、モルタル底面底掃除段階(Ｓ１００)では組立式床板を施工するモルタル底面のほこり及び異物を掃除して外部要因による水平誤差を最小化する作業を実施した後、すべり防止シート設置段階(Ｓ２００)では掃除されたモルタル底面上に接着剤使用なしにすべり防止シートを底面と密着するように配置する。
次に組立式床板裁断段階(Ｓ３００)ではナイフ、押し切りなどを使って縁床板を施工する底面の寸法にあうように粉塵及び騷音なしに切断する作業を実施した後、隣接床板結合段階(Ｓ４００)ではすべり防止シート上に組立式床板を乗せて隣接した床板どうし順番に結合して床底施工を仕上げるようになる。
【００２３】
この時施工に使われる組立式床板は、下の試験の性能基準を通過してすべり防止性能及び熱伝導性能が立証されたもので選択して設置することが望ましい。
試験例１
６０度傾きセメントボード上に本発明による組立式床板を乗せて下に押される程度を試したし、比較群として強床、強化床、合板床に対しても等しい条件で試験を実施した。
【００２４】
【表１】
0006496831.tif 000002
【００２５】
前記すべり防止試験結果を通じて本発明による組立式床板の優秀なすべり防止性能を確認することができるし、このようなすべり防止性能を通じて組立式床板がモルタル底に密着されて水平に動かなくなる。
【００２６】
試験例２
試片に対しては２５度恒温器に放置して床板表面温度が２５度になるまで放置する前処理作業を通じて初期温度を設定し、床板の表面温度を上昇させるための熱板は定温が維持される恒温水槽にふたをして、ふた表面温度が４５度になるようにして、試片表面温度が初期温度(２５度)対比１０度上昇時(３５度)までかかった時間をチェックした。
【００２７】
【表２】
0006496831.tif 000003
【００２８】
前記熱伝導率試験結果を通じて本発明による組立式床板の優秀な熱伝導性を確認することができるし、熱伝導率が一番高い接着式オンドル床と比べても試験温度に到逹するまで略２分程度だけ遅延される反面、懸架式強化床に対しては略２倍程度早い熱伝導性を現わして、オンドル暖房が多い韓国でも非常に好適な性能であることを確認することができる。
【産業上の利用可能性】
【００２９】
今まで本発明は、図面に示された実施例を参照に説明されたが、これは例示的なものに過ぎなくて、本技術分野の通常の知識を持った者ならこれから多様な変形及び均等な他の実施例が可能である。よって、本発明の真正な技術的保護範囲は添付された特許請求範囲の技術的思想によって決まらなければならない。
【符号の説明】
【００３０】
１０  ベースパネル
２０  表面材
３０  すべり防止シート
【図１】
0006496831.tif 000004
【図２】
0006496831.tif 000005
【図３】
0006496831.tif 000006
【図４】
0006496831.tif 000007
【図５】
0006496831.tif 000008
【図６】
0006496831.tif 000009
【図７】
0006496831.tif 000010
【図８】
0006496831.tif 000011
【図９】
0006496831.tif 000012
【図１０】
0006496831.tif 000013